(57)【要約】【課題】  本発明の課題は、コネクタプラグ側の第１の電極とコネクタアダプタ側の複数の第２の電極の電気的接続を検出することにより、コネクタプラグとコネクタアダプタの接続有無を検知するコネクタ接続検知装置を提供することにある。【解決手段】  本発明は、第１の電極１が設けられたコネクタプラグ４と、コネクタプラグ４が接続されるコネクタアダプタ５と、コネクタアダプタ５に設けられ、コネクタプラグ４とコネクタアダプタ５の接続状態で第１の電極１を介して電気的に接続される少なくとも２個の第２の電極２１，２２と、第１の電極１と第２の電極２１，２２が電気的に接続されたことを検出する検知制御回路３とを具備することを特徴とするものである。【選択図】    図１
2009211838.tif 000002
【特許請求の範囲】
【請求項１】
第１の電極が設けられたコネクタプラグもしくはコネクタプラグを把持するコネクタ挿抜工具と、
前記コネクタプラグが接続されるコネクタアダプタと、
前記コネクタアダプタに設けられ、前記コネクタプラグと前記コネクタアダプタの接続状態で前記第１の電極を介して電気的に接続される少なくとも２個の第２の電極と、
前記第１の電極と前記第２の電極が電気的に接続されたことを検出する検知制御回路と
を具備することを特徴とするコネクタ接続検知装置。
【請求項２】
コネクタプラグとコネクタアダプタの勘合接続状態を検出するコネクタ接続検知装置において、
前記コネクタプラグまたはコネクタプラグを把持するコネクタ挿抜工具に第１の電極を有し、
前記コネクタアダプタの勘合部または前記勘合部近傍に２個の第２の電極を有し、
前記コネクタプラグと前記コネクタアダプタの勘合接続状態おいて、前記第１の電極と前記第２の電極を近接または接触する位置に設置し、
前記第１の電極と前記第２の電極の近接または接触を検知する検知制御回路を有し、
前記検知制御回路により前記コネクタプラグと前記コネクタアダプタが接続状態であるか、非接続状態かを判別することを特徴とするコネクタ接続検知装置。
【請求項３】
複数のコネクタプラグと複数のコネクタアダプタ勘合部を有し、それぞれ対応したコネクタプラグとコネクタアダプタ勘合部の勘合接続状態を検出するコネクタ接続検知装置において、
各コネクタプラグに第１の電極を有し、
複数のコネクタアダプタ勘合部に対応した位置に各々２個の第２の電極を有し、
前記コネクタプラグと前記コネクタアダプタ勘合部の勘合接続状態において、前記第１の電極と前記第２の電極を近接または接触する位置に設置し、
前記第２の電極を選択し、前記第１の電極と前記第２の電極の近接または接触を検知する検知制御回路を有し、
前記検知制御回路により前記コネクタプラグと前記コネクタアダプタ勘合部が接続状態であるか、非接続状態かを判別することを特徴とするコネクタ接続検知装置。
【請求項４】
複数のコネクタプラグと複数のコネクタアダプタ勘合部を有し、それぞれ対応したコネクタプラグとコネクタアダプタ勘合部の勘合接続状態を検出するコネクタ接続検知装置において、
コネクタプラグを把持してコネクタプラグの挿抜を行うコネクタ挿抜工具に第１の電極を有し、
複数のコネクタアダプタ勘合部に対応した位置に各々２個の第２の電極を有し、
前記コネクタ挿抜工具による前記コネクタプラグと前記コネクタアダプタ勘合部の勘合接続時に、前記第１の電極と前記第２の電極を近接または接触する位置に設置し、
前記第２の電極を選択し、前記第１の電極と前記第２の電極の近接または接触を検知する検知制御回路を有し、
前記検知制御回路により、前記コネクタプラグと前記コネクタアダプタ勘合部が接続状態であるか、非接続状態かを判別することを特微とするコネクタ接続検知装置。
【請求項５】
複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、
コネクタプラグを把持してコネクタプラグの挿抜を行うコネクタ挿抜工具に第１の電極を有し、
複数のコネクタアダプタ勘合部に対応した位置に各々２個の第２の電極を有し、
前記コネクタ挿抜工具による前記コネクタプラグと前記コネクタアダプタ勘合部の勘合接続時に、前記第１の電極と前記第２の電極を近接または接触する位置に設置し、
前記第２の電極を選択し、前記第１の電極と前記第２の電極の近接または接触を検知する検知制御回路を有し、
前記検知制御回路を制御するデータベース機能部を有し、
コネクタプラグ挿抜時の前記第２の電極における信号検知により、前記コネクタプラグと前記コネクタアダプタ勘合部の接続情報をデータベースに保持して管理することを特徴とする配線管理システム。
【請求項６】
複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、
コネクタプラグを把持してコネクタプラグ挿抜を行うコネクタ挿抜工具に第１の電極を有し、
複数のコネクタアダプタ勘合部に対応した位置に発光部および各々２個の第２の電極を有し、
前記コネクタ挿抜工具による前記コネクタプラグと前記コネクタアダプタ勘合部の勘合接続時に、前記第１の電極と前記第２の電極を近接または接触する位置に設置し、
前記発光部の発光の制御及び前記第２の電極を選択し、前記第１の電極と前記第２の電極の近接または接触を検知する検知制御回路を有し、
前記検知制御回路を制御するデータベース機能部を有し、
コネクタプラグ挿抜時の前記第２の電極における信号検知により、前記コネクタプラグと前記コネクタアダプタ勘合部の接続情報をデータベースに保持して管理することを特徴とする配線管理システム。
【請求項７】
複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、
前記コネクタプラグに識別ＩＤを有し、
前記コネクタプラグを把持してコネクタプラグの挿抜を行うコネクタ挿抜工具にＩＤ識別機能部及び第１の電極を有し、
複数のコネクタアダプタ勘合部に対応した位置に各々２個の第２の電極を有し、
前記コネクタ挿抜工具による前記コネクタプラグと前記コネクタアダプタ勘合部の勘合接続時に、前記第１の電極と前記第２の電極を近接または接触する位置に設置し、
前記第２の電極を選択し、前記第１の電極と前記第２の電極の近接または接触を検知する検知制御回路を有し、
前記検知制御回路を制御するデータベース機能部を有し、
コネクタプラグの挿抜時に前記ＩＤ識別機能部により前記コネクタプラグの識別ＩＤを読取り、前記第２の電極における信号検知により、前記コネクタプラグの識別ＩＤと前記コネクタプラグと前記コネクタアダプタ勘合部の接続情報をデータベースに保待して管理することを特徴とする配線管理システム。
【請求項８】
複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、
前記コネクタプラグに識別ＩＤを有し、
前記コネクタプラグを把持してコネクタプラグの挿抜を行うコネクタ挿抜工具にＩＤ識別機能部及び第１の電極を有し、
複数のコネクタアダプタ勘合部に対応した位置に発光部及び各々２個の第２の電極を有し、
前記コネクタ挿抜工具による前記コネクタプラグと前記コネクタアダプタ勘合部の勘合接続時に、前記第１の電極と前記第２の電極を近接または接触する位置に設置し、
前記発光部の発光の制御及び前記第２の電極を選択し、前記第１の電極と前記第２の電極の近接または接触を検知する検知制御回路を有し、
前記検知制御回路を制御するデータベース機能部を有し、
コネクタプラグの挿抜時に前記ＩＤ識別機能部により前記コネクタプラグの識別ＩＤを読取り、前記第２の電極における信号検知により、前記コネクタプラグの識別ＩＤと前記コネクタプラグと前記コネクタアダプタ勘合部の接続情報をデータベースに保持して管理することを特微とする配線管理システム。
【発明の詳細な説明】
【技術分野】
【０００１】
本発明はコネクタプラグとコネクタアダプタの勘合接続状態を検出するコネクタ接続検知装置に係り、特に、コネクタプラグ側に第１の電極を設置し、コネクタ接続されるコネクタアダプタ側に２個の第２の電極を設置し、コネクタプラグの勘合接続時に第１の電極と第２の電極が接触または隣接することを電気的に検知することで、接続関係を識別することを可能にしたコネクタ接続検知装置および配線管理システムに関するものである。
【背景技術】
【０００２】
従来の技術では、コネクタプラグにメモリ機能部を付与して、コネクタプラグの取付けられている心線のＩＤ情報をメモリに保持し、接続されるコネクタアダプタ側にメモリのＩＤ読み取り機能部を取付け、コネクタ接続時にＩＤを読み取り、配線情報を管理する方式があるが、これらの方式では、複数の接続を行う接続盤においては、ＩＤ読取り機能部を接続端子数設置しており、高密度の接続盤に設置することは困難である。
【０００３】
【特許文献１】特許第３７４５７２８号公報
【発明の開示】
【発明が解決しようとする課題】
【０００４】
本発明は上記の事情に鑑みてなされたもので、コネクタプラグ側の第１の電極とコネクタアダプタ側の複数の第２の電極の電気的接続を検出することにより、コネクタプラグとコネクタアダプタの接続有無を検知することができ、且つ検知制御回路、データベースを組合せることでコネクタの接続状況を把握し管理することができるコネクタ接続検知装置および配線管理システムを提供することを目的とする。
【課題を解決するための手段】
【０００５】
上記目的を達成するために本発明のコネクタ接続検知装置は、第１の電極が設けられたコネクタプラグもしくはコネクタプラグを把持するコネクタ挿抜工具と、前記コネクタプラグが接続されるコネクタアダプタと、前記コネクタアダプタに設けられ、前記コネクタプラグと前記コネクタアダプタの接続状態で前記第１の電極を介して電気的に接続される少なくとも２個の第２の電極と、前記第１の電極と前記第２の電極が電気的に接続されたことを検出する検知制御回路とを具備することを特徴とするものである。
【０００６】
また本発明は、コネクタプラグとコネクタアダプタの勘合接続状態を検出するコネクタ接続検知装置において、前記コネクタプラグまたはコネクタプラグを把持するコネクタ挿抜工具に第１の電極を有し、前記コネクタアダプタの勘合部または前記勘合部近傍に２個の第２の電極を有し、前記コネクタプラグと前記コネクタアダプタの勘合接続状態おいて、前記第１の電極と前記第２の電極を近接または接触する位置に設置し、前記第１の電極と前記第２の電極の近接または接触を検知する検知制御回路を有し、前記検知制御回路により前記コネクタプラグと前記コネクタアダプタが接続状態であるか、非接続状態かを判別することを特徴とするものである。
【０００７】
また本発明は、複数のコネクタプラグと複数のコネクタアダプタ勘合部を有し、それぞれ対応したコネクタプラグとコネクタアダプタ勘合部の勘合接続状態を検出するコネクタ接続検知装置において、各コネクタプラグに第１の電極を有し、複数のコネクタアダプタ勘合部に対応した位置に各々２個の第２の電極を有し、前記コネクタプラグと前記コネクタアダプタ勘合部の勘合接続状態において、前記第１の電極と前記第２の電極を近接または接触する位置に設置し、前記第２の電極を選択し、前記第１の電極と前記第２の電極の近接または接触を検知する検知制御回路を有し、前記検知制御回路により前記コネクタプラグと前記コネクタアダプタ勘合部が接続状態であるか、非接続状態かを判別することを特徴とするものである。
【０００８】
また本発明は、複数のコネクタプラグと複数のコネクタアダプタ勘合部を有し、それぞれ対応したコネクタプラグとコネクタアダプタ勘合部の勘合接続状態を検出するコネクタ接続検知装置において、コネクタプラグを把持してコネクタプラグの挿抜を行うコネクタ挿抜工具に第１の電極を有し、複数のコネクタアダプタ勘合部に対応した位置に各々２個の第２の電極を有し、前記コネクタ挿抜工具による前記コネクタプラグと前記コネクタアダプタ勘合部の勘合接続時に、前記第１の電極と前記第２の電極を近接または接触する位置に設置し、前記第２の電極を選択し、前記第１の電極と前記第２の電極の近接または接触を検知する検知制御回路を有し、前記検知制御回路により、前記コネクタプラグと前記コネクタアダプタ勘合部が接続状態であるか、非接続状態かを判別することを特微とするものである。
【０００９】
また本発明は、複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、コネクタプラグを把持してコネクタプラグの挿抜を行うコネクタ挿抜工具に第１の電極を有し、複数のコネクタアダプタ勘合部に対応した位置に各々２個の第２の電極を有し、前記コネクタ挿抜工具による前記コネクタプラグと前記コネクタアダプタ勘合部の勘合接続時に、前記第１の電極と前記第２の電極を近接または接触する位置に設置し、前記第２の電極を選択し、前記第１の電極と前記第２の電極の近接または接触を検知する検知制御回路を有し、前記検知制御回路を制御するデータベース機能部を有し、コネクタプラグ挿抜時の前記第２の電極における信号検知により、前記コネクタプラグと前記コネクタアダプタ勘合部の接続情報をデータベースに保持して管理することを特徴とするものである。
【００１０】
また本発明は、複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、コネクタプラグを把持してコネクタプラグ挿抜を行うコネクタ挿抜工具に第１の電極を有し、複数のコネクタアダプタ勘合部に対応した位置に発光部および各々２個の第２の電極を有し、前記コネクタ挿抜工具による前記コネクタプラグと前記コネクタアダプタ勘合部の勘合接続時に、前記第１の電極と前記第２の電極を近接または接触する位置に設置し、前記発光部の発光の制御及び前記第２の電極を選択し、前記第１の電極と前記第２の電極の近接または接触を検知する検知制御回路を有し、前記検知制御回路を制御するデータベース機能部を有し、コネクタプラグ挿抜時の前記第２の電極における信号検知により、前記コネクタプラグと前記コネクタアダプタ勘合部の接続情報をデータベースに保持して管理することを特徴とするものである。
【００１１】
また本発明は、複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、前記コネクタプラグに識別ＩＤを有し、前記コネクタプラグを把持してコネクタプラグの挿抜を行うコネクタ挿抜工具にＩＤ識別機能部及び第１の電極を有し、複数のコネクタアダプタ勘合部に対応した位置に各々２個の第２の電極を有し、前記コネクタ挿抜工具による前記コネクタプラグと前記コネクタアダプタ勘合部の勘合接続時に、前記第１の電極と前記第２の電極を近接または接触する位置に設置し、前記第２の電極を選択し、前記第１の電極と前記第２の電極の近接または接触を検知する検知制御回路を有し、前記検知制御回路を制御するデータベース機能部を有し、コネクタプラグの挿抜時に前記ＩＤ識別機能部により前記コネクタプラグの識別ＩＤを読取り、前記第２の電極における信号検知により、前記コネクタプラグの識別ＩＤと前記コネクタプラグと前記コネクタアダプタ勘合部の接続情報をデータベースに保待して管理することを特徴とするものである。
【００１２】
また本発明は、複数のコネクタプラグと複数のコネクタアダプタ勘合部を有し、それぞれ対応したコネクタプラグとコネクタアダプタ勘合部の勘合接続状態を検出するコネクタ接続検知装置の配線管理システムにおいて、前記コネクタプラグに識別ＩＤを有し、前記コネクタプラグを把持してコネクタプラグの挿抜を行うコネクタ挿抜工具にＩＤ識別機能部及び第１の電極を有し、複数のコネクタアダプタ勘合部に対応した位置に発光部及び各々２個の第２の電極を有し、前記コネクタ挿抜工具による前記コネクタプラグと前記コネクタアダプタ勘合部の勘合接続時に、前記第１の電極と前記第２の電極を近接または接触する位置に設置し、前記発光部の発光の制御及び前記第２の電極を選択し、前記第１の電極と前記第２の電極の近接または接触を検知する検知制御回路を有し、前記検知制御回路を制御するデータベース機能部を有し、コネクタプラグの挿抜時に前記ＩＤ識別機能部により前記コネクタプラグの識別ＩＤを読取り、前記第２の電極における信号検知により、前記コネクタプラグの識別ＩＤと前記コネクタプラグと前記コネクタアダプタ勘合部の接続情報をデータベースに保持して管理することを特微とするものである。
【発明の効果】
【００１３】
本発明のコネクタ接続検知装置および配線管理システムは、コネクタプラグ側の第１の電極とコネクタアダプタ側の複数の第２の電極の電気的接続を検出することにより、コネクタプラグとコネクタアダプタの接続有無を検知することができ、且つ検知制御回路、データベースを組合せることでコネクタの接続状況を把握し管理することができ、高密度の接続盤における配線管理システムを簡易かつ経済的に構築することができる。
【発明を実施するための最良の形態】
【００１４】
以下図面を参照して本発明の実施の形態を詳細に説明する。
図１は本発明の第１の実施形態に係るコネクタ接続検知装置を示す構成説明図である。図１において、１は第１の電極、２１，２２は第２の電極、３は検知制御回路、４はコネクタプラグ、５はコネクタアダプタ、６は勘合部、３１は電源、３２は電圧検出部、３３は電流検出部、Ｒは抵抗である。
【００１５】
図１はコネクタプラグ４がコネクタアダプタ５の勘合部６に勘合しコネクタ接続状態であることを示している。図１に示すように、コネクタプラグ４のコネクタアダプタ５の近傍には第１の電極１が設けられ、コネクタアダプタ５の勘合部には２個の第２の電極２１，２２が設けられる。第１の電極１と第２の電極２１，２２はコネクタ接続時には近接または接触する位置に設置する。第１の電極１は電気的に他の機器と電気的に接触していない金属体を適用する。一方の第２の電極２１は電源３１を介して抵抗Ｒの一端に接続され、抵抗Ｒの他端は電流検出部３３を介して他方の第２の電極２２に接続される。前記抵抗Ｒの両端には電圧検出部３２が接続される。前記電源３１、電圧検出部３２、電流検出部３３、及び抵抗Ｒは検知制御回路３を構成する。尚、近傍、近接とはコネクタプラグ４とコネクタアダプタ５を勘合したときに電気的に接続できる範囲をいう。
【００１６】
すなわち、電源３１として直流（ＤＣ）電源を用いた場合、コネクタ接続時に第１の電極１が第２の電極２１，２２に接触することで、第１の電極１と第２の電極２１，２２間が導通して電気的な閉回路が構成される。これにより抵抗Ｒの両端に電圧が発生する。この抵抗Ｒの両端に発生した電圧の有無を電圧計等の電圧検出部３２で検知することで、第１の電極１が第２の電極２１，２２に接触し、コネクタ接続状態であることを検出する。
【００１７】
また、電流の有無を検知することでも同様の確認ができる。この場合は検知制御回路３中に電流計のような電流検出部３３を挿入接続して第１の電極１と第２の電極２１，２２間に流れる電流を検出する。尚、電流検出部３３の電流検知をＬＥＤ等により点灯させることでも判別が可能である。
【００１８】
また、電源３１としてＤＣ電源の代わりにＡＣ（交流）電源を用いたＡＣ回路構成にしてもよい。この場合には第１の電極１と第２の電極２１，２２が接触することでＤＣ回路と同じように検出ができる。ＡＣ回路の場合には第１の電極１と第２の電極２１，２２は接触させないで近接状態でも同様に検出可能である。この揚合は第１の電極１と第２の電極２１，２２がコンデンサを形成して電気的に接続され、交流電流が流れる条件であればよい。
【００１９】
第１の電極１と第２の電極２１，２２は通常メッキ処理を行い接触抵抗を低減することで安定した識別ができるが、第２の電極２１，２２側のインピーダンスを上げることで、接触抵抗の増加に影響のない識別機能が容易に設計できる。コネクタが接続状態か非接続状態かは第２の電極２１，２２側の検知制御回路３が閉回路になったかどうかで判別可能である。また、第１の電極１に電気信号を印加し、第２の電極２１，２２が前記電気信号を検知する方法でも同様の機能を実現できる。
【００２０】
図２は本発明の第２の実施形態に係るコネクタ接続検知装置を示す構成説明図である。図２中、図１と同一部分は同一符号を付してその説明を省略する。図２において、３４は切替部、３４１は共通端子、３４２は個別端子、３４３は切替端子、３５は電源、電圧検出部、電流検出部、及び抵抗等で構成される検知制御回路本体である。
【００２１】
図２に示すように、コネクタアダプタ５には勘合部６が複数設置され、各勘合部６にはそれぞれ対応して２個の第２の電極２１，２２が設けられる。前記各勘合部６の一方の第２の電極２１は共通端子３４１に接続され、前記各勘合部６の他方の第２の電極２２はそれぞれ対応して個別端子３４２に接続される。前記共通端子３４１には切替端子３４３が接続され、切替端子３４３は各個別端子３４２に切替接続される。
【００２２】
すなわち、コネクタアダプタ５が複数実装されている場合の検知制御回路３は切替部３４により複数の第２の電極２１，２２を切り替える。複数の第２の電極２１，２２を順次切り替えることで、第１の電極１がどの第２の電極２１，２２の位置にあるかを検出できる。切替部３４がＰＣ（パソコン）からコントロールできるようにする。このようにすることにより、コネクタプラグ４がコネクタアダプタ５のどの勘合部６に勘合されてコネクタ接続されているかを自動検出が可能となる。
【００２３】
図３は本発明の第３の実施形態に係るコネクタ接続検知装置を示す構成説明図である。図３中、図１及び図２と同一部分は同一符号を付してその説明を省略する。図３において、７はコネクタプラグ４を把持してコネクタプラグ４の挿入、抜去を行うコネクタ挿抜工具である。
【００２４】
図３に示すように、コネクタプラグ４側の第１の電極１をコネクタ挿抜工具７に設置する。コネクタプラグ４を接続する場合、通常はコネクタ挿抜工具７を使用する。コネクタ挿抜工具７の先端に第１の電極１を設置する。コネクタ挿抜工具７の先端が金属の場合は金属部をそのまま第１の電極１として使用できる。前記金属部は電気的に一定のレベルにすることや、他の信号を重畳させることも可能であり、ノイズ等の影響を除去するためには電気的に他の機器に接触させないほうがよい。第１の電極１をコネクタ挿抜工具７につけることで、コネクタプラグ４には電極が不要である。コネクタ接続の手順は、コネクタ挿抜工具７でコネクタプラグ４を把持し、そのままコネクタアダプタ５の勘合部６に勘合して接続する。このときにコネクタ挿抜工具７の第１の電極１がコネクタアダプタ５側の第２の電極２１，２２に近接または接触することで、２個の第２の電極２１，２２間がスイッチを形成し、閉回路が構成されて接続されたことが確認できる。
【００２５】
図４は本発明の第４の実施形態に係るコネクタ接続検知装置の配線管理システムを示す構成説明図である。図４中、図１〜図３と同一部分は同一符号を付してその説明を省略する。図４において、８は接続盤、９は配線、１０はＰＣ（パソコン）等のＤＢ（データベース）機能部、１５は基板である。
【００２６】
図４に示すように、接続盤８には複数のコネクタアダプタ５及び検知制御回路３が設置され、各コネクタアダプタ５は検知制御回路３を介してＤＢ機能部１０に接続されるように配線９される。前記各コネクタアダプタ５にはそれぞれ対応して複数の勘合部６が設けられると共に前記基板１５には各勘合部６にそれぞれ対応して第２の電極２１，２２が設けられる。
【００２７】
すなわち、複数のコネクタプラグ１を複数のコネクタアダプタ５に接続する接続盤８において、コネクタ挿抜工具７に設置する第１の電極１として、コネクタ挿抜工具７の先端に金属体を取付ける。コネクタ挿抜工具７の先端部が金属体でできている場合はそのまま第１の電極１として使用できる。コネクタ挿抜工具７の金属体が他の機器と電気的に接触されている場合は、第１の電極１はコネクタ挿抜工具７本体と絶縁することでノイズの影響を抑える効果が得られる。検知制御回路３はＤＢ機能部１０としてのＰＣに接続する。ＰＣへの接続はＵＳＢ等を用いることでＰＣから電源を供給することができる。コネクタアダプタ５側のそれぞれの勘合部６に対応する位置に２個の第２の電極２１，２２を取り付け、検知制御回路３に接続する。検知制御回路３と各勘合部６の第２の電極２１，２２間はマトリクススイッチで順次切り替えて接続の有無を検知する。たとえば、各勘合部６に番号を付与し、その番号順に切り替えて検知動作を行うことで、コネクタ挿抜工具７を使用して接続を行っている勘合部６の番号がわかる。接続しているコネクタプラグ４側の心線番号はコネクタ挿抜工具７に把持するときに確認できるので、心線番号と勘合部番号に対応する心線と勘合部６が接続していることがわかる。この接続情報をＤＢ機能部１０に保存する。このようにすることで接続盤８の配線管理ができる。
【００２８】
図５は本発明の第５の実施形態に係るコネクタ接続検知装置の配線管理システムを示す構成説明図である。図５中、図１〜図４と同一部分は同一符号を付してその説明を省略する。図５において、１１は発光部である。
【００２９】
図５に示すように、各コネクタアダプタ５には各勘合部６にそれぞれ対応して発光部１１を設置する。接続盤８におけるコネクタプラグ４の接続または抜去を行う配線作業において、通常作業対象のコネクタプラグ４の心線番号や勘合部６の勘合部番号が指定される。この指定される勘合部６の勘合部番号の位置の発光部１１を光らせることで、作業位置を明示することができる。コネクタアダプタ５の勘合部６が密集している接続盤８においては、指定の勘合部６の勘合部番号の左右の発光部１１が発光していることでより正確に作業位置を特定することができる。発光部１１を発光させるために検知制御回路３と発光部１１間はマトリクススイッチで切り替えて制御する。また、発光部１１と第２の電極２１，２２は同じタイミングで切り替えることもできる。接続情報の管理方式は第４の実施形態と同様にできる。
【００３０】
図６は本発明の第６の実施形態に係るコネクタ接続検知装置の配線管理システムを示す構成説明図である。図６中、図１〜図５と同一部分は同一符号を付してその説明を省略する。図６において、１２は識別ＩＤ、１３はＩＤ識別機能部、１４はＩＤ識別センサである。
【００３１】
図６に示すように、コネクタプラグ４には識別ＩＤ１２を付与する。コネクタ挿抜工具７にはＩＤ識別センサ１４を収容し、前記ＩＤ識別センサ１４はＩＤ識別機能部１３を経由してＤＢ機能部１０に接続する。ＩＤ識別機能部１３をＤＢ機能部１０にＵＳＢで接続してＩＤ識別機能部１３に電源を供給することができる。コネクタ接続時の手順は、コネクタ挿抜工具７で指定のコネクタプラグ４を把持する。このときＩＤ識別センサ１４でコネクタプラグ４の識別ＩＤ１２を読み取る。この識別ＩＤ１２が指定のコネクタプラグ４かどうかはＤＢ機能部１０のＰＣ側でデータベースと照合することで判別できる。コネクタ挿抜工具７が正しいコネクタプラグ４を把持した場合はそのまま指定の勘合部６の位置に接続する。このとき指定の勘合部６の位置の発光部１１を点灯させる。このように勘合部６の位置の両側の発光部１１を表示させることで勘合部６の位置をより明確に指示することができる。発光部１１は点灯状態と点滅状態を選択できる。コネクタプラグ４を勘合部６に接続したときに、コネクタ挿抜工具７の第１の電極１である金属体が第２の電極２１，２２に近接または接触するので、このときに指定の勘合部６に接続されたかどうかが判別できる。コネクタプラグ４が正しい勘合部６に接続された場合は接続作業は完了する。ＤＢ機能部１０は接続情報をデータベースに登録する。
【００３２】
発光部１１は点灯させないで作業することもできるが、指定の勘合部６に迅速に接続するために、発光部１１を点灯させることで、正しい位置に案内することができる。コネクタプラグ４の抜去手順では、指定のコネクタ勘合部６の発光部１１を点灯させる。コネクタ挿抜工具７で前記勘合部６のコネクタプラグ４を把持する。このときコネクタプラグ４の識別ＩＤ１２を読取り、指定のコネクタプラグ４かどうかをＤＢ機能部１０によりデータベースの照合を行い確認する。コネクタ挿抜工具７の第１の電極１を勘合部６側の第２の電極２１，２２に接触または近接させて識別し、指定の勘合部６の位置かどうかもＤＢ機能部１０のデータベース照合で確認できる。基本的には、コネクタ挿抜工具７が指定のコネクタプラグ４を把持していることが確認できるので、該当のコネクタプラグ４が抜去できるかどうかがわかる。コネクタプラグ４の抜去後は即時にデータベースを更新する。このようにすることでＤＢ登録のヒューマンエラーを回避でき正確なデータベース更新ができる。
【００３３】
図７は本発明の第７の実施形態に係るコネクタ接続検知装置の一部を示す構成説明図である。図７中、図１〜図６と同一部分は同一符号を付してその説明を省略する。図７において、１６は固定部である。
【００３４】
図７に示すように、第２の電極２１，２２を基板１５上に取付け、その基板１５をコネクタアダプタ５近傍に取付ける。１６連のコネクタアダプタ等が接続盤に用いられる場合、基板１５上に第２の電極２１，２２をコネクタアダプタ５の勘合口に対応する位置に１６組取付け、基板１５を１６連のコネクタアダプタに沿わせて取付ける。基板１５は固定部１６により、コネクタアダプタ本体に沿わせて設置する。前記基板１５はコネクタアダプタ５の側面の片側または両側に取付けられる。また、前記基板１５には前記勘合部６に対応する位置に発光部１１を取付けてもよい。このような基板１５を使用することで、接続盤にコネクタアダプタが設置されているすでに使用状態になっている既設設備に対しても、後から第２の電極または発光部を実装することができる。
【００３５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３６】
【図１】本発明の第１の実施形態に係るコネクタ接続検知装置を示す構成説明図である。
【図２】本発明の第２の実施形態に係るコネクタ接続検知装置を示す構成説明図である。
【図３】本発明の第３の実施形態に係るコネクタ接続検知装置を示す構成説明図である。
【図４】本発明の第４の実施形態に係るコネクタ接続検知装置の配線管理システムを示す構成説明図である。
【図５】本発明の第５の実施形態に係るコネクタ接続検知装置の配線管理システムを示す構成説明図である。
【図６】本発明の第６の実施形態に係るコネクタ接続検知装置の配線管理システムを示す構成説明図である。
【図７】本発明の第７の実施形態に係るコネクタ接続検知装置の一部を示す構成説明図である。
【符号の説明】
【００３７】
１…第１の電極、２１，２２…第２の電極、３…検知制御回路、４…コネクタプラグ、５…コネクタアダプタ、６…勘合部、７…コネクタ挿抜工具、８…接続盤、９…配線、１０…ＤＢ機能部、１１…発光部、１２…識別ＩＤ、１３…ＩＤ識別機能部、１４…ＩＤ識別センサ、３１…電源、３２…電圧検出部、３３…電流検出部、３４…切替部、３４１…共通端子、３４２…個別端子、３４３…切替端子、３５…検知制御回路本体、Ｒ…抵抗。
【図１】
2009211838.tif 000003
【図２】
2009211838.tif 000004
【図３】
2009211838.tif 000005
【図４】
2009211838.tif 000006
【図５】
2009211838.tif 000007
【図６】
2009211838.tif 000008
【図７】
2009211838.tif 000009